(57)【特許請求の範囲】
【請求項１】
食品を収納したトレイの上側を覆うフィルムをトレイに対し支持するものであり、トレイの側部内側に差入れて内面に当てがう一対の内面当接部と、トレイの側部外面を押圧すべく屈曲又は湾曲した外面押圧部とによりトレイの側部を狭み、前記内面当接部に連設され、湾曲したフィルム支持部によってフィルムを支持すべくなしておる食品包装パック用スペーサにおいて、
前記フィルム支持部は略コの字型の枠状をなし、前記外面押圧部は、前記フィルム支持部の対向する二辺間の長手方向における中間部から基部を内側に突出させた状態で垂設されており、前記基部を押圧することにより前記外面押圧部が前記内面当接部に対して開くべくなすと共に、
前記内面当接部の差入れ側の先端部は、少なくとも外面押圧部側が外面押圧部方向に膨出した曲面状をなすと共に、前記内面当接部の差入れ側の先端部における外面押圧部側と前記外面押圧部における前記トレイの挟持部との間に前記トレイの厚みより狭小な間隔を設けてなり、前記膨出した曲面状と前記内面当接部上方と前記外面押圧部とで前記トレイの側部を挟持することを特徴とする食品包装パック用スペーサ。
【請求項２】
前記先端部は、鉤状をなす請求項１記載の食品包装パック用スペーサ。
【請求項３】
前記先端部は、球状をなす請求項１記載の食品包装パック用スペーサ。
【請求項４】
前記先端部を橋絡してある請求項１乃至３のいずれかに記載の食品包装パック用スペーサ。
【請求項５】
前記外面押圧部の内面当接部側に、突起部が複数設けてある請求項1乃至４のいずれかに記載の食品包装パック用スペーサ。
【発明の詳細な説明】
【０００１】
【発明の属する技術分野】
本発明は、刺身及び惣菜等の食品を収容したトレイの上部をフィルムで覆うときに、このフィルムを上方に特ち上げて、該フィルムと食品が接触しないようにするための食品包装パック用スペーサに関する。
【０００２】
【従来の技術】
この食品包装パック用スペーサとして、実公平１−２３９８４号公報に開示されたものが知られている。
図７は、この食品包装パック用スペーサを示す斜視図であり、図中１１はフィルム支持部である。
食品包装パック用スペーサは、円弧状のフィルム支持部１１と、トレイ側部の内面に当接される二股状の内面当接部１２，１２とからなり、内面当接部１２，１２の基部には、トレイ側部の外面を押圧する半円状の外面押圧部１３が設けられている。フィルム支持部１１と、内面当接部１２，１２とは、これらの内面に突設されたリブ１４により補強されている。
以上のように構成された食品包装パック用スペーサを食品を収納したトレイに装着する場合は、まず、外面押圧部１３と内面当接部１２，１２との間を押し開きながらこれらによりトレイ側部を挟む。そして、弾性変形された外面押圧部１３が弾性復帰することにより、食品包装パック用スペーサがトレイに固定される。
【０００３】
【発明が解決しようとする課題】
しかし、この食品包装パック用スペーサにおいては、外面押圧部１３と内面当接部１２，１２との間を押し開くときに強い力を要し、内面当接部１２をトレイ側部の内側に差入れにくく、側部内面を傷つけることもあって、傷により生じた微粉末により食品が汚染されたり、傷部に細菌が繁殖する虞があり、衛生上、間題であった。差入れ性を良くした場合は、外面押圧部１３のトレイ側部に対する押圧力が弱くなり、トレイ側部を強カに狭むことができなくなるという間題があった。また、食品包装パック用スペーサをトレイに装着後に、内面当接部１２，１２がずれることがあり、トレイ側部の内面を傷つけることもあった。
【０００４】
本発明は斯かる事情に鑑みてなされたものであり、内面当接部の先端部の少なくとも外面押圧部側を曲面状になすことにより、トレイ側部を内面当接部と外面押圧部とで狭むときに、トレイ側部の内面を傷つけることなく、滑らかに内面当接部を差入れることができ、装着性と衛生面とが良好であるとともに、先端部がトレイ側部の内面に固定されて押圧するので、トレイ側部を強固に狭んだ状態で固定される食品包装パック用スペーサを提供することを目的とする。
【０００５】
また、本発明は、内面当接部の先端部を鉤状になすことにより、トレイ側部を狭むときに、内面当接部が外れ難い食品包装パック用スペーサを提供することを目的とする。
【０００６】
そして、本発明は、内面当接部の先端部を球状になすことにより、内面当接部をさらに滑らかにトレイ側部に差入れることができる食品包装パック用スペーサを提供することを目的とする。
【０００７】
さらに、本発明は、内面当接部の先端部を橋絡することにより、さらに堅固に内面当接部がトレイの側部内面に固定され、トレイ側部をさらに強固に狭んだ状態で固定される食品包装パック用スペーサを提供することを目的とする。
【０００８】
また、本発明は、フィルム支持部はコの字型の枠状をなし、外面押圧部は、フィルム支持の対向する二辺間に、基部を内側に突出させた状態で垂設させ、前記基部を押圧することにより外面押圧部が内面当接部に対して開くべく構成することにより、さらに装着性が良好になり、トレイ側部を強固に狭んで固定される食品包装パック用スペーサを提供することを目的とする。
【０００９】
そして、本発明は、外面押圧部の内面当接部側に、突起部を複数設けることにより、突起部がトレイ側部の外面に係合され、トレイ側部をさらに強固に狭んだ状態で固定される食品包装パック用スペーサを提供することを目的とする。
【００１０】
【課題を解決するための手段】
第１発明の食品包装パック用スペーサは、食品を収納したトレイの上側を覆うフィルムをトレイに対し支持するものであり、トレイの側部内側に差入れて内面に当てがう一対の内面当接部と、トレイの側部外面を押圧すべく屈曲又は湾曲した外面押圧部とによりトレイの側部を狭み、前記内面当接部に連設され、湾曲したフィルム支持部によってフィルムを支持すべくなしておる食品包装パック用スペーサにおいて、前記フィルム支持部は略コの字型の枠状をなし、前記外面押圧部は、前記フィルム支持部の対向する二辺間の長手方向における中間部から基部を内側に突出させた状態で垂設されており、前記基部を押圧することにより前記外面押圧部が前記内面当接部に対して開くべくなすと共に、前記内面当接部の差入れ側の先端部は、少なくとも外面押圧部側が外面押圧部方向に膨出した曲面状をなすと共に、前記内面当接部の差入れ側の先端部における外面押圧部側と前記外面押圧部における前記トレイの挟持部との間に前記トレイの厚みより狭小な間隔を設けてなり、前記膨出した曲面状と前記内面当接部上方と前記外面押圧部とで前記トレイの側部を挟持することを特徴とする。
第１発明においては、トレイ側部を内面当接部と外面押圧部とで狭むときに、先端部によつて、トレイ側部の内面を傷つけることなく、滑らかに内面当接部を差入れることができ、装着性が良好であるとともに、衛生面においても好ましい。そして、先端部が側部内面に固定されて押圧するので、トレイ側部を強固に狭んだ状態で食品包装パック用スペーサがトレイに固定される。
【００１１】
第２発明の食品包装パック用スペーサは、第１発明において、前記先端部が、鉤状をなすことを特徴とする。
第２発明においては、トレイ側部を狭むときに、内面当接部がさらに外れ難くなる。
【００１２】
第３発明の食品包装パック用スペーサは、第１発明において、前記先端部が、球状をなすことを特徴とする。
第３発明においては、内面当接部をさらに滑らかに差入れることができる。
【００１３】
第４発明の食品包装パック用スペーサは、第１乃至第３発明のいずれかにおいて、前記先端部を橋絡してあることを特徴とする。
第４発明においては、さらに堅固に内面当接部がトレイの側部内面に固定され、トレイ側部をさらに強固に狭んだ状態でトレイに固定される。
【００１４】
第５発明の食品包装パック用スペーサは、第１乃至第４発明のいずれかにおいて、前記外面押圧部の内面当接部側に、突起部が複数設けてあることを特徴とする。
第５発明においては、突起部がトレイ側部の外面に係合され、さらに強固にトレイ側部を狭んだ状態でトレイに固定される。
【００１６】
【発明の実施の形態】
以下、本発明をその実施の形態を示す図面に基づいて具体的に説明する。
図１は、本発明の一実施の形態に係る食品包装パック用スペーサを示す側面図、図２は正面図、図３は下面図であり、図中、１はフィルム支持部である。
フィルム支持部１は湾曲したコの字型の枠状をなし、対向する二辺に相当する部分の下端には、トレイの側部内側に差入れて当てがうために、脚状に内面当接部２２が一体形成されている。
【００１７】
内面当接部２２の差入れ側の先端には球状の先端部２a，２aが設けられており、この先端部２a，２a間は先端部連結部３により橋絡されている。
フィルム支持部１は、先端側はリブ１ａにより橋絡されており、内面当接部２２との連設側には、トレイの側部外面を押圧すべく屈曲した外面押圧部４が垂設されている。外面押圧部４は略く形状に５段階、屈曲しており、基部４ａを内側に突出させた状態でフィルム支持部１に垂設されている、この基部４ａを押圧することにより外面押圧部４が内面当接部２２に対し開くべくなしてある。外面押圧部４の内面当接部２側には複数の突起部４ｂ，４ｂ・・・が設けられている。
【００１８】
以下、この食品包装パック用スペーサを、肉、刺身及び惣菜等の食品を収納したトレイに装着する手順について説明する。
図４は、本発明の食品包装パック用スペーサにより、トレイの上側を覆うフィルムをトレイに対して支持した状態を示す断面図であり、図中、５はトレイである。
【００１９】
まず、外面押圧部４の基部４ａを手の指等で押圧操作することにより、外面押圧部４を内面当接部２２に対して離反させる。この状態で、内面当接部２２と外面押圧部４とによりトレイ５の側部５aを挟む。このとき、内面当接部２２を側部５aの内側に差入れて側部５aの内面に当てがう。その後、基部４ａから手を離すことにより、内面当接部２２と外面押圧部４とが側部５aに確実に狭持され、食品包装パツク用スペーサがトレイ５に固定される。そして、フィルム６を、外面押圧部４及びフィルム支持部１に沿わせながら張設することにより、フィルム６によりトレイ５の上側が被覆されることになる。
【００２０】
本発明の食品包装パック用スペーサにおいては、内面当接部２の球状の先端部２aにより、トレイ５の側部５aの内面を傷つけることなく、滑らかに内面当接部２を差入れることができるので、装着性が良好であるとともに、傷により生じた微粉末により食品が汚染されたり、傷部に細菌が繁殖するのが防止され、衡生面においても好ましい。そして、先端部２aが側部５aの内面に固定されて押圧し、フィルム６の張設によりさらに押圧力が増した状態で、側部５aを強固に狭んで食品包装パック用スペーサが固定される。本発明の食品包装パック用スペーサにおいては、外面押圧部４に設けられた突起部４bが側部５aの外面に係合されるので、より強固に側部５aを挟むことになる。
【００２１】
図５は、本発明に係る食品包装パック用スペーサの他の実施の形態を示す側面図である。図中、図１と同一部分は同一符号を付してある。この食品包装パツク用スペーサにおいては、内面当接部２の先端部２aは、鉤状をなす。従って、内面当接部２をトレイ５の側部５aの内側に差入れたときに、さらに堅固に、側部５aの内面に当接させることができ、内面当接部２がずれ難くなる。
【００２２】
図６は、本発明に係る食品包装パック用スペーサの他の実施の形態を示す正面図である。図中、図２と同一部分は同一符号を付してある。
この食品包装パック用スペーサにおいては、内面当接部２２の先端部２a，２a間は連結されていない。
先端部２a，２a間が連結されていない場合においても、本発明の食品包装パック用スペーサは先端部２a，２aが球状をなし、内面当接部２が堅固に側５aの内面に当接される。
さらなる確実性を要する場合は、先端部２a，２a間を連結するのが好ましい。
【００２３】
なお、前記実施の形態においては、内面当接部２の先端部２aが球状又は鈎状を有する場合につき説明しているがこれに限定されるものではなく、先端部２aが曲面状をなしていればよく、半球状でもよい。但し、先端部２aが球状をなすとき、内面当接部２をさらに滑らかに差入れることができ、先端部２aが鉤状をなすとき、内面当接部２が外れ難くなる。
【００２４】
また、前記実施の形態においては、外面押圧部４の内面当接部２側に突起部４bを設けた場合につき説明しているがこれに限定されるものではない。但し、突起部４bを設けた方が、これがトレイ側部の外面に係合され、さらに強固にトレイ側部を狭んだ状態でトレイに固定されるので、好ましい。
【００２５】
そして、前記実施の形態においては、フィルム支持部１がコの字型の枠状をなし、外面押圧部４が、フィルム支持部１の対向する二辺間に、基部４ａを内側に突出させた状態で垂設されており、基部４ａを押圧することにより外面押圧部４が内面当接部２に対して開くべくなしてある場合につき説明しているがこれに限定されるものではない。但し、上述の場合、さらに装着性が良好であり、トレイ５の側部５aを強固に狭んだ状態で食品包装パック用スペーサがトレイに固定される。
【００２６】
さらに、前記実施の形態においては、外面押圧部４が屈曲している場合につき説明しているがこれに限定されるものではなく、外面押圧部４は湾曲したものであってもよい。
【００２７】
【発明の効果】
以上、詳述したように、第１発明による場合は、トレイ側部を内面当接部と外面押圧部とで狭むときに、先端部によって、トレイ側部の内面を傷つけることなく、滑らかに内面当接部を差入れることができ、装着性が良好であるとともに、衛生面においても好ましい。そして、先端部が内面当接部に固定され、押圧するので、トレイ側部を強固に狭んだ状態で、食品包装パック用スペーサがトレイに固定される。
【００２８】
第２発明による場合は、先端部が鉤状をなすので、トレイ側部を狭むときに、内面当接部が外れ難くなる。
【００２９】
第３発明による場合は、先端部が球状をなすので、内面当接部をさらに滑らかに差入れることができる。
【００３０】
第４発明による場合は、内面当接部の先端部間が連結してあるので、さらに堅固に内面当接部が固定され、トレイ側部をさらに強固に狭んだ状態でトレイに固定される。
【００３１】
第５発明による場合は、外面押圧部の内面当接部側に、突起部が複数設けてあるので、突起部がトレイ側部の外面に係合され、さらに強固にトレイ側部を狭んだ状態でトレイに固定される。
【図面の簡単な説明】
【図１】  本発明の一実施の形態に係る食品包装パック用スペーサを示す側面図である。
【図２】  本発明の一実施の形態に係る食品包装パック用スペーサを示す正面図である。
【図３】  本発明の一実施の形態に係る食品包装パック用スペーサを示す下面図である。
【図４】  本発明の一実施の形態に係る食品包装パック用スペーサにより、トレイの上側を覆うフィルムをトレイに対して支持した状態を示す断面図である。
【図５】  本発明の他の実施の形態に係る食品包装パック用スペーサを示す側面図である。
【図６】  本発明の他の実施の形態に係る食品包装パック用スペーサを示す正面図である。
【図７】  従来の食品包装パック用スペーサを示す斜視図である。
【符号の説明】
１    フィルム支持部
２    内面当接部
２a   先端部
４    外面押圧部
４ａ  基部
４b   突起部
５    トレイ
６    フィルム
【図１】
0003958946.tif 000002
【図２】
0003958946.tif 000003
【図３】
0003958946.tif 000004
【図４】
0003958946.tif 000005
【図５】
0003958946.tif 000006
【図６】
0003958946.tif 000007
【図７】
0003958946.tif 000008